(57)【要約】【課題】  写真撮影の際に、カメラと被写体との間に他者が入ってしまって撮影に失敗してしまうという事態の発生を少なくする。【解決手段】  携帯電話端末１Ａは、カメラによる画像撮影の開始に先立ち、他の携帯電話端末２Ｂ，３Ｃが周囲に存在することを検出した時、カメラの撮影方向情報と自装置の位置情報とをそれら携帯電話端末２Ｂ，３Ｃへ送信する。携帯電話端末１Ａから、カメラの撮影方向情報と位置情報を受け取った携帯電話端末２Ｂ，３Ｃは、それら携帯電話端末１Ａの撮影方向情報及び位置情報と、自端末の位置情報と移動方向情報とに基づいて、自端末が携帯電話端末１Ａのカメラの撮影領域５内に入ってしまうか否かを判断し、自端末が撮影領域５内に入ってしまうと判断した場合には、その旨を自端末のユーザへ報知する。【選択図】  図１
2008022112.tif 000002
【特許請求の範囲】
【請求項１】
画像を撮影するためのカメラ部と、
近距離無線通信を行うための近距離無線通信部と、
自装置の位置を測定する位置測定部と、
上記カメラ部の撮影方向を検出する撮影方向検出部と、
上記カメラ部による画像撮影の開始に先立ち、上記近距離無線通信部を通じて通信が可能な他の携帯端末を検出した時、上記撮影方向検出部が検出した撮影方向情報と上記位置測定部が測定した位置情報とを、上記近距離無線通信部を通じて他の携帯端末へ送信する処理を実行する演算制御部と、
を有することを特徴とする撮影装置。
【請求項２】
上記演算制御部は、上記撮影方向検出部が一定時間毎に複数回検出した撮影方向情報が略々一致し且つ上記位置測定部が一定時間毎に複数回測定した位置情報が略々一致した時に、その撮影方向情報と位置情報を、上記近距離無線通信部を通じて他の携帯端末へ送信する処理を実行することを特徴とする請求項１記載の撮影装置。
【請求項３】
自装置のユーザに対して報知を行うための報知部を有し、
他の携帯端末が上記カメラ部の撮影領域内に移動してくる旨を表す所定通知を、上記近距離無線通信部を通じて受信した時、上記演算制御部は、上記報知部を制御して上記所定通知に応じた報知を行うことを特徴とする請求項１記載の撮影装置。
【請求項４】
上記カメラ部は、レンズの撮影距離設定パラメータに基づいて、被写体までの距離情報を生成する距離情報生成部を有し、
上記演算制御部は、上記距離情報生成部が生成した距離情報を、上記近距離無線通信部を通じて他の携帯端末へ送信することを特徴とする請求項１記載の撮影装置。
【請求項５】
上記演算制御部は、被写体ユーザの携帯端末の位置情報を上記近距離無線通信部を通じて受信した時、上記位置測定部が測定した位置情報と当該被写体ユーザの携帯端末の位置情報とに基づいて、カメラ部から当該被写体ユーザの携帯端末までの距離情報を算出し、その算出した距離情報を、上記近距離無線通信部を通じて他の携帯端末へ送信することを特徴とする請求項１記載の撮影装置。
【請求項６】
上記演算制御部は、自装置の固有ＩＤを上記近距離無線通信部を通じて送信した後、その固有ＩＤの送信に応じて位置情報を返信してきた携帯端末を、上記被写体ユーザの携帯端末として上記距離情報の算出を行うことを特徴とする請求項５記載の撮影装置。
【請求項７】
上記演算制御部は、携帯端末の固有ＩＤを上記近距離無線通信部を通じて受信し、当該携帯端末から送られてきた固有ＩＤが、内部のＩＤ登録部に登録されている固有ＩＤと一致した時に、当該固有ＩＤの携帯端末を、上記被写体ユーザの携帯端末として上記距離情報の算出を行うことを特徴とする請求項５記載の撮影装置。
【請求項８】
画像を撮影するためのカメラ部と、
近距離無線通信を行うための近距離無線通信部と、
自装置の位置を測定する位置測定部と、
上記カメラ部の撮影方向を検出する撮影方向検出部と、
自装置のユーザに対して報知を行うための報知部と、
上記カメラ部による画像撮影の開始に先立ち、上記近距離無線通信部を通じて通信が可能な他の携帯端末を検出した時、上記近距離無線通信を通じて上記携帯端末の位置情報と移動方向情報を要求し、その要求に応じて上記携帯端末から送信された位置情報と移動方向情報を受信したならば、上記撮影方向検出部が検出した撮影方向情報及び上記位置測定部が測定した位置情報と、上記携帯端末の位置情報及び移動方向情報とに基づいて、上記携帯端末がカメラ部の撮影領域内に移動してくるか否か判断し、上記携帯端末がカメラ部の撮影領域内に移動してくると判断した時には、その旨を上記報知部を通じてユーザへ報知する処理を実行する演算制御部と、
を有することを特徴とする撮影装置。
【請求項９】
上記演算制御部は、上記撮影方向検出部が一定時間毎に複数回検出した撮影方向情報が略々一致し且つ上記位置測定部が一定時間毎に複数回測定した位置情報が略々一致した時に、その撮影方向情報及び位置情報と、上記携帯端末の位置情報及び移動方向情報とに基づいて、上記携帯端末がカメラ部の撮影領域内に移動してくるか否かを判断する処理を実行することを特徴とする請求項８記載の撮影装置。
【請求項１０】
上記演算制御部は、上記携帯端末がカメラ部の撮影領域内に移動してくると判断した時には、その旨を表す所定通知を上記近距離無線通信部を通じて当該携帯端末へ送信することを特徴とする請求項８記載の撮影装置。
【請求項１１】
上記演算制御部は、被写体ユーザの携帯端末の位置情報を上記近距離無線通信部を通じて受信した時、上記位置測定部が測定した位置情報と当該被写体ユーザの携帯端末の位置情報とに基づいて、カメラ部から当該被写体ユーザの携帯端末までの距離情報を算出し、上記撮影方向検出部が検出した撮影方向情報及び上記位置測定部が測定した位置情報と、上記被写体ユーザの携帯端末までの距離情報と、他の携帯端末の位置情報及び移動方向情報とに基づいて、上記他の携帯端末がカメラ部の撮影領域内に移動してくるか否かを判断する処理を実行することを特徴とする請求項８記載の撮影装置。
【請求項１２】
上記演算制御部は、自装置の固有ＩＤを上記近距離無線通信部を通じて送信した後、その固有ＩＤの送信に応じて位置情報を返信してきた携帯端末を、上記被写体ユーザの携帯端末として上記距離情報の算出を行うことを特徴とする請求項１１記載の撮影装置。
【請求項１３】
上記演算制御部は、携帯端末の固有ＩＤを上記近距離無線通信部を通じて受信し、当該携帯端末から送られてきた固有ＩＤが、内部のＩＤ登録部に登録されている固有ＩＤと一致した時に、当該固有ＩＤの携帯端末を、上記被写体ユーザの携帯端末として上記距離情報の算出を行うことを特徴とする請求項１１記載の撮影装置。
【請求項１４】
画像を撮影するためのカメラ部と、
近距離無線通信を行うための近距離無線通信部と、
自装置の位置を測定する位置測定部と、
上記カメラ部の撮影方向を検出する撮影方向検出部と、
上記カメラ部による画像撮影の開始に先立ち、上記近距離無線通信部を通じて通信が可能な他の携帯端末を検出した時、上記近距離無線通信を通じて上記携帯端末の位置情報と移動方向情報を要求し、その要求に応じて上記携帯端末から送信された位置情報と移動方向情報を受信したならば、上記撮影方向検出部が検出した撮影方向情報及び上記位置測定部が測定した位置情報と、上記携帯端末の位置情報及び移動方向情報とに基づいて、上記携帯端末がカメラ部の撮影領域内に移動してくるか否か判断し、上記携帯端末がカメラ部の撮影領域内に移動してくると判断した時には、その旨を表す所定通知を上記近距離無線通信を通じて当該携帯端末へ送信する処理を実行する演算制御部と、
を有することを特徴とする撮影装置。
【請求項１５】
上記演算制御部は、上記撮影方向検出部が一定時間毎に複数回検出した撮影方向情報が略々一致し且つ上記位置測定部が一定時間毎に複数回測定した位置情報が略々一致した時に、その撮影方向情報及び位置情報と、上記携帯端末の位置情報及び移動方向情報とに基づいて、上記携帯端末がカメラ部の撮影領域内に移動してくるか否かを判断する処理を実行することを特徴とする請求項１４記載の撮影装置。
【請求項１６】
上記演算制御部は、被写体ユーザの携帯端末の位置情報を上記近距離無線通信部を通じて受信した時、上記位置測定部が測定した位置情報と当該被写体ユーザの携帯端末の位置情報とに基づいて、カメラ部から当該被写体ユーザの携帯端末までの距離情報を算出し、上記撮影方向検出部が検出した撮影方向情報及び上記位置測定部が測定した位置情報と、上記被写体ユーザの携帯端末までの距離情報と、他の携帯端末の位置情報及び移動方向情報とに基づいて、上記他の携帯端末がカメラ部の撮影領域内に移動してくるか否かを判断する処理を実行することを特徴とする請求項１４記載の撮影装置。
【請求項１７】
上記演算制御部は、自装置の固有ＩＤを上記近距離無線通信部を通じて送信した後、その固有ＩＤの送信に応じて位置情報を返信してきた携帯端末を、上記被写体ユーザの携帯端末として上記距離情報の算出を行うことを特徴とする請求項１６記載の撮影装置。
【請求項１８】
上記演算制御部は、携帯端末の固有ＩＤを上記近距離無線通信部を通じて受信し、当該携帯端末から送られてきた固有ＩＤが、内部のＩＤ登録部に登録されている固有ＩＤと一致した時に、当該固有ＩＤの携帯端末を、上記被写体ユーザの携帯端末として上記距離情報の算出を行うことを特徴とする請求項１６記載の撮影装置。
【請求項１９】
近距離無線通信を行うための近距離無線通信部と、
自端末の位置を測定する位置測定部と、
自端末の移動方向を算出する移動方向算出部と、
自端末のユーザに対して報知を行うための報知部と、
上記近距離無線通信部を通じて、他の撮影装置の位置情報と撮影方向情報を受信した時、上記位置測定部が測定した位置情報及び上記移動方向算出部が算出した移動方向情報と、上記撮影装置の位置情報及び撮影方向情報とに基づいて、自端末が上記撮影装置の撮影領域内に移動するか否かを判断し、自端末が上記撮影装置の撮影領域内に移動すると判断した場合には、その旨を上記報知部を制御して自端末のユーザへ報知する処理を実行する演算制御部と、
を有することを特徴とする携帯端末。
【請求項２０】
近距離無線通信を行うための近距離無線通信部と、
自端末の位置を測定する位置測定部と、
自端末の移動方向を算出する移動方向算出部と、
上記近距離無線通信部を通じて、他の撮影装置の位置情報と撮影方向情報を受信した時、上記位置測定部が測定した位置情報及び上記移動方向算出部が算出した移動方向情報と、上記撮影装置の位置情報及び撮影方向情報とに基づいて、自端末が上記撮影装置の撮影領域内に移動するか否かを判断し、自端末が上記撮影装置の撮影領域内に移動すると判断した場合には、その旨を表す所定通知を上記近距離無線通信部を通じて上記撮影装置に送信する処理を実行する演算制御部と、
を有することを特徴とする携帯端末。
【請求項２１】
上記近距離無線通信部を通じて、他の撮影装置から被写体までの間の距離情報を受信した時、上記演算制御部は、自端末が上記撮影装置の撮影領域内に移動するか否かの判断の際に、上記撮影装置から被写体までの距離情報を加えた判断を行うことを特徴とする請求項１９又は請求項２０記載の携帯端末。
【請求項２２】
近距離無線通信を行うための近距離無線通信部と、
自端末の位置を測定する位置測定部と、
上記近距離無線通信部を通じて、他の撮影装置の位置情報と撮影方向情報を受信した時、上記位置測定部が測定した位置情報と、上記撮影装置の位置情報及び撮影方向情報とに基づいて、自端末が上記撮影装置の撮影領域内に存在しているか否かを判断し、自端末が上記撮影装置の撮影領域内に存在していると判断した場合には、上記位置測定部が測定した位置情報を、上記近距離無線通信部を通じて上記撮影装置へ送信する処理を実行する演算制御部と、
を有することを特徴とする携帯端末。
【請求項２３】
上記演算制御部は、自端末が上記撮影装置の撮影領域内に存在していると判断し、且つ、上記撮影装置の固有ＩＤを上記近距離無線通信部を通じて受信し、当該撮影装置から送られてきた固有ＩＤが、内部のＩＤ登録部に登録されている固有ＩＤと一致した時に、上記位置測定部が測定した位置情報を、上記近距離無線通信部を通じて上記撮影装置へ送信することを特徴とする請求項２２記載の携帯端末。
【請求項２４】
上記演算制御部は、自端末が上記撮影装置の撮影領域内に存在していると判断した時、自端末の固有ＩＤを、上記近距離無線通信部を通じて上記撮影装置へ送信することを特徴とする請求項２２記載の携帯端末。
【請求項２５】
カメラによる画像撮影の開始に先立ち、近距離無線通信が可能な他の携帯端末を検出した時、カメラの撮影方向情報と自装置の位置情報とを、近距離無線通信部を通じて他の携帯端末へ送信する撮影装置と、
近距離無線通信により上記撮影装置の位置情報と撮影方向情報を受信した時、自端末の位置情報及び移動方向情報と、上記撮影装置の位置情報及び撮影方向情報とに基づいて、自端末が上記撮影装置の撮影領域内に移動するか否かを判断し、自端末が上記撮影装置の撮影領域内に移動すると判断した場合には、その旨を自端末のユーザへ報知する携帯端末と、
を有することを特徴とする撮影システム。
【請求項２６】
カメラによる画像撮影の開始に先立ち、近距離無線通信が可能な他の携帯端末を検出した時には、カメラの撮影方向情報と自装置の位置情報とを、近距離無線通信を通じて他の携帯端末へ送信し、近距離無線通信を通じて他の携帯端末から所定通知を受信した時には、ユーザに対して当該所定通知に応じた報知を行う撮影装置と、
近距離無線通信を通じて他の撮影装置の位置情報と撮影方向情報を受信した時には、自端末の位置情報及び移動方向情報と、上記撮影装置の位置情報及び撮影方向情報とに基づいて、自端末が上記撮影装置の撮影領域内に移動するか否かを判断し、自端末が上記撮影装置の撮影領域内に移動すると判断した時には、その旨を表す所定通知を上記近距離無線通信を通じて上記撮影装置へ送信する携帯端末と、
を有することを特徴とする撮影システム。
【請求項２７】
カメラによる画像撮影の開始に先立ち、近距離無線通信が可能な他の携帯端末を検出した時には、上記近距離無線通信を通じて上記携帯端末の位置情報と移動方向情報を要求し、その要求に応じて上記携帯端末から送信された位置情報と移動方向情報を受信したならば、自装置の撮影方向情報及び位置情報と、上記携帯端末の位置情報及び移動方向情報とに基づいて、上記携帯端末がカメラの撮影領域内に移動してくるか否か判断し、上記携帯端末がカメラの撮影領域内に移動してくると判断した時には、その旨をユーザへ報知する撮影装置と、
近距離無線通信を通じて撮影装置から位置情報と移動方向情報の要求を受信した時、その要求に応じて自端末の位置情報と移動方向情報を上記撮影装置へ返送する携帯端末と、
を有することを特徴とする撮影システム。
【請求項２８】
カメラによる画像撮影の開始に先立ち、近距離無線通信が可能な他の携帯端末を検出した時には、上記近距離無線通信を通じて上記携帯端末の位置情報と移動方向情報を要求し、その要求に応じて上記携帯端末から送信された位置情報と移動方向情報を受信したならば、自装置の撮影方向情報及び位置情報と、上記携帯端末の位置情報及び移動方向情報とに基づいて、上記携帯端末がカメラの撮影領域内に移動してくるか否か判断し、上記携帯端末がカメラの撮影領域内に移動してくると判断した時には、その旨を表す所定通知を、上記近距離無線通信を通じて上記携帯端末へ送信する撮影装置と、
近距離無線通信を通じて撮影装置から位置情報と移動方向情報の要求を受信した時、その要求に応じて自端末の位置情報と移動方向情報を上記撮影装置へ返送し、上記携帯端末がカメラの撮影領域内に移動する旨を表す所定通知を上記近距離無線通信を通じて受信した時には、その旨をユーザへ報知する携帯端末と、
を有することを特徴とする撮影システム。
【請求項２９】
撮影装置が、カメラによる画像撮影の開始に先立ち、近距離無線通信が可能な他の携帯端末を検出した時、カメラの撮影方向情報と自装置の位置情報とを、近距離無線通信を通じて他の携帯端末へ送信するステップと、
携帯端末が、近距離無線通信により上記撮影装置の位置情報と撮影方向情報を受信した時、自端末の位置情報及び移動方向情報と、上記撮影装置の位置情報及び撮影方向情報とに基づいて、自端末が上記撮影装置の撮影領域内に移動するか否かを判断し、自端末が上記撮影装置の撮影領域内に移動すると判断した場合には、その旨を自端末のユーザへ報知するステップと、
を有することを特徴とする撮影報知方法。
【請求項３０】
撮影装置が、カメラによる画像撮影の開始に先立ち、近距離無線通信が可能な他の携帯端末を検出した時には、カメラの撮影方向情報と自装置の位置情報とを、近距離無線通信を通じて他の携帯端末へ送信し、近距離無線通信を通じて他の携帯端末から所定通知を受信した時には、ユーザに対して当該所定通知に応じた報知を行うステップと、
携帯端末が、近距離無線通信を通じて撮影装置の位置情報と撮影方向情報を受信した時には、自端末の位置情報及び移動方向情報と、上記撮影装置の位置情報及び撮影方向情報とに基づいて、自端末が上記撮影装置の撮影領域内に移動するか否かを判断し、自端末が上記撮影装置の撮影領域内に移動すると判断した時には、その旨を表す所定通知を上記近距離無線通信を通じて上記撮影装置へ送信するステップと、
を有することを特徴とする撮影報知方法。
【請求項３１】
撮影装置が、カメラによる画像撮影の開始に先立ち、近距離無線通信が可能な他の携帯端末を検出した時には、上記近距離無線通信を通じて上記携帯端末の位置情報と移動方向情報を要求し、その要求に応じて上記携帯端末から送信された位置情報と移動方向情報を受信したならば、自装置の撮影方向情報及び位置情報と、上記携帯端末の位置情報及び移動方向情報とに基づいて、上記携帯端末がカメラの撮影領域内に移動してくるか否か判断し、上記携帯端末がカメラの撮影領域内に移動してくると判断した時には、その旨をユーザへ報知するステップと、
携帯端末が、近距離無線通信を通じて撮影装置から位置情報と移動方向情報の要求を受信した時、その要求に応じて自端末の位置情報と移動方向情報を上記撮影装置へ返送するステップと、
を有することを特徴とする撮影報知方法。
【請求項３２】
撮影装置が、カメラによる画像撮影の開始に先立ち、近距離無線通信が可能な他の携帯端末を検出した時には、上記近距離無線通信を通じて上記携帯端末の位置情報と移動方向情報を要求し、その要求に応じて上記携帯端末から送信された位置情報と移動方向情報を受信したならば、自装置の撮影方向情報及び位置情報と、上記携帯端末の位置情報及び移動方向情報とに基づいて、上記携帯端末がカメラの撮影領域内に移動してくるか否か判断し、上記携帯端末がカメラの撮影領域内に移動してくると判断した時には、その旨を表す所定通知を、上記近距離無線通信を通じて上記携帯端末へ送信するステップと、
携帯端末が、近距離無線通信を通じて撮影装置から位置情報と移動方向情報の要求を受信した時、その要求に応じて自端末の位置情報と移動方向情報を上記撮影装置へ返送し、上記携帯端末がカメラの撮影領域内に移動する旨を表す所定通知を上記近距離無線通信を通じて受信した時には、その旨をユーザへ報知するステップと、
を有することを特徴とする撮影方法。
【発明の詳細な説明】
【技術分野】
【０００１】
本発明は、デジタルカメラなどの撮影装置、携帯端末、撮影システム、撮影報知方法に関する。
【背景技術】
【０００２】
従来の技術として、特開２００２−２３６６５１号の公開特許公報（特許文献１）には、携帯端末と近距離無線通信が可能で且つ無線基地局と無線通信が可能となされたデジタルカメラにて写真撮影が行われた時、そのデジタルカメラが、当該撮影データの配信先アドレスを近距離無線通信により携帯端末から取得し、その後ユーザから配信指示が入力された時に、その撮影データを電子メールの形式で無線通信を通じて配信先アドレスへ送信するようになされた情報配信システム、指示端末及び携帯端末が開示されている。
【０００３】
また、ＷＯ２００３／０４９３２６号パンフレット（特許文献２）には、近距離無線通信を利用し、近距離範囲内に存在する他の携帯端末を検索し、見つかった携帯端末との間で通信履歴を相互に参照し、相手との通信履歴が双方の通信履歴記憶部に存在したときに、報知手段を用いてユーザに相手の接近を報知するようになされた携帯端末とそれに使用される記憶媒体及びサーバが開示されている。
【０００４】
【特許文献１】特開２００２−２３６６５１号公報（図１）
【特許文献２】国際公開第０３−０４９３２６号パンフレット（図４）
【発明の開示】
【発明が解決しようとする課題】
【０００５】
ところで、近年は、人々が常に持ち歩く携帯電話端末にもデジタルカメラ機能が搭載されており、その携帯電話端末のデジタルカメラ機能を用いることにより、例えば観光地や街中，建物の中など様々な場所や場面での写真撮影が可能になっている。
【０００６】
上記観光地や街中などのように、人通りが多い場所で写真撮影を行っていると、しばしばカメラと被写体との間に他の人が入ってしまい、撮影に失敗してしまうことがある。すなわち、殆どの人は、自分の近くで他者（撮影者）により写真撮影が行われているような場合において、例えば自分がカメラと被写体との間に入ってしまうことに気付いたときには、その場所から離れるなどして写真撮影の邪魔にならないように行動するが、その一方で、自分が写真撮影の邪魔になっていることに気がつかないことも多く、その場合、撮影者はなかなか写真を撮ることができないことになる。また、写真撮影時のシャッターチャンスは無限に存在する訳ではなく、カメラと被写体との間に他の人が入ってしまうことにより、二度と巡り会えないシャッターチャンスでの撮影に失敗してしまうこともある。
【０００７】
本発明は、このような実情に鑑みて提案されたものであり、写真撮影の際に、カメラと被写体との間に他者が入ってしまって撮影に失敗してしまうという事態の発生を少なくすることが可能な撮影装置及び撮影システム、撮影報知方法を提供することを目的とする。
【課題を解決するための手段】
【０００８】
本発明の撮影装置は、画像を撮影するためのカメラ部と、近距離無線通信を行うための近距離無線通信部と、自装置の位置を測定する位置測定部と、カメラ部の撮影方向を検出する撮影方向検出部と、カメラ部による画像撮影の開始に先立ち、近距離無線通信部を通じて通信が可能な他の携帯端末を検出した時、撮影方向検出部が検出した撮影方向情報と位置測定部が測定した位置情報とを、近距離無線通信部を通じて他の携帯端末へ送信する処理を実行する演算制御部とを有することにより、上述した課題を解決する。
【０００９】
また、本発明の撮影装置は、画像を撮影するためのカメラ部と、近距離無線通信を行うための近距離無線通信部と、自装置の位置を測定する位置測定部と、カメラ部の撮影方向を検出する撮影方向検出部と、自装置のユーザに対して報知を行うための報知部と、カメラ部による画像撮影の開始に先立ち、近距離無線通信部を通じて通信が可能な他の携帯端末を検出した時、近距離無線通信を通じて携帯端末の位置情報と移動方向情報を要求し、その要求に応じて携帯端末から送信された位置情報と移動方向情報を受信したならば、撮影方向検出部が検出した撮影方向情報及び位置測定部が測定した位置情報と、携帯端末の位置情報及び移動方向情報とに基づいて、携帯端末がカメラ部の撮影領域内に移動してくるか否か判断し、携帯端末がカメラ部の撮影領域内に移動してくると判断した時には、その旨を報知部を通じてユーザへ報知する処理を実行する演算制御部とを有することにより、上述した課題を解決する。
【００１０】
また、本発明の撮影装置は、画像を撮影するためのカメラ部と、近距離無線通信を行うための近距離無線通信部と、自装置の位置を測定する位置測定部と、カメラ部の撮影方向を検出する撮影方向検出部と、カメラ部による画像撮影の開始に先立ち、近距離無線通信部を通じて通信が可能な他の携帯端末を検出した時、近距離無線通信を通じて携帯端末の位置情報と移動方向情報を要求し、その要求に応じて携帯端末から送信された位置情報と移動方向情報を受信したならば、撮影方向検出部が検出した撮影方向情報及び位置測定部が測定した位置情報と、携帯端末の位置情報及び移動方向情報とに基づいて、携帯端末がカメラ部の撮影領域内に移動してくるか否か判断し、携帯端末がカメラ部の撮影領域内に移動してくると判断した時には、その旨を表す所定通知を近距離無線通信を通じて当該携帯端末へ送信する処理を実行する演算制御部とを有することにより、上述した課題を解決する。
【００１１】
本発明の携帯端末は、近距離無線通信を行うための近距離無線通信部と、自端末の位置を測定する位置測定部と、自端末の移動方向を算出する移動方向算出部と、自端末のユーザに対して報知を行うための報知部と、近距離無線通信部を通じて、他の撮影装置の位置情報と撮影方向情報を受信した時、位置測定部が測定した位置情報及び移動方向算出部が算出した移動方向情報と、撮影装置の位置情報及び撮影方向情報とに基づいて、自端末が撮影装置の撮影領域内に移動するか否かを判断し、自端末が撮影装置の撮影領域内に移動すると判断した場合には、その旨を報知部を制御して自端末のユーザへ報知する処理を実行する演算制御部とを有することにより、上述した課題を解決する。
【００１２】
また、本発明の携帯端末は、近距離無線通信を行うための近距離無線通信部と、自端末の位置を測定する位置測定部と、自端末の移動方向を算出する移動方向算出部と、近距離無線通信部を通じて、他の撮影装置の位置情報と撮影方向情報を受信した時、位置測定部が測定した位置情報及び移動方向算出部が算出した移動方向情報と、撮影装置の位置情報及び撮影方向情報とに基づいて、自端末が撮影装置の撮影領域内に移動するか否かを判断し、自端末が撮影装置の撮影領域内に移動すると判断した場合には、その旨を表す所定通知を近距離無線通信部を通じて撮影装置に送信する処理を実行する演算制御部とを有することにより、上述した課題を解決する。
【００１３】
また、本発明の携帯端末は、近距離無線通信を行うための近距離無線通信部と、自端末の位置を測定する位置測定部と、近距離無線通信部を通じて、他の撮影装置の位置情報と撮影方向情報を受信した時、位置測定部が測定した位置情報と、撮影装置の位置情報及び撮影方向情報とに基づいて、自端末が撮影装置の撮影領域内に存在しているか否かを判断し、自端末が撮影装置の撮影領域内に存在していると判断した場合には、位置測定部が測定した位置情報を、近距離無線通信部を通じて撮影装置へ送信する処理を実行する演算制御部とを有することにより、上述した課題を解決する。
【００１４】
本発明の撮影システムは、カメラによる画像撮影の開始に先立ち、近距離無線通信が可能な他の携帯端末を検出した時、カメラの撮影方向情報と自装置の位置情報とを近距離無線通信部を通じて他の携帯端末へ送信する撮影装置と、近距離無線通信により撮影装置の位置情報と撮影方向情報を受信した時、自端末の位置情報及び移動方向情報と撮影装置の位置情報及び撮影方向情報とに基づいて、自端末が撮影装置の撮影領域内に移動するか否かを判断し、自端末が上記撮影装置の撮影領域内に移動すると判断した場合には、その旨を自端末のユーザへ報知する携帯端末とを有することにより、上述した課題を解決する。
【００１５】
また、本発明の撮影システムは、カメラによる画像撮影の開始に先立ち、近距離無線通信が可能な他の携帯端末を検出した時には、カメラの撮影方向情報と自装置の位置情報とを近距離無線通信部を通じて他の携帯端末へ送信し、近距離無線通信を通じて他の携帯端末から所定通知を受信した時には、ユーザに対して当該所定通知に応じた報知を行う撮影装置と、近距離無線通信を通じて他の撮影装置の位置情報と撮影方向情報を受信した時には、自端末の位置情報及び移動方向情報と撮影装置の位置情報及び撮影方向情報とに基づいて、自端末が撮影装置の撮影領域内に移動するか否かを判断し、自端末が撮影装置の撮影領域内に移動すると判断した時には、その旨を表す所定通知を近距離無線通信を通じて撮影装置へ送信する携帯端末とを有することにより、上述した課題を解決する。
【００１６】
また、本発明の撮影システムは、カメラによる画像撮影の開始に先立ち、近距離無線通信が可能な他の携帯端末を検出した時には、近距離無線通信を通じて携帯端末の位置情報と移動方向情報を要求し、その要求に応じて携帯端末から送信された位置情報と移動方向情報を受信したならば、自装置の撮影方向情報及び位置情報と携帯端末の位置情報及び移動方向情報とに基づいて、携帯端末がカメラの撮影領域内に移動してくるか否か判断し、携帯端末がカメラの撮影領域内に移動してくると判断した時には、その旨をユーザへ報知する撮影装置と、近距離無線通信を通じて撮影装置から位置情報と移動方向情報の要求を受信した時、その要求に応じて自端末の位置情報と移動方向情報を撮影装置へ返送する携帯端末とを有することにより、上述した課題を解決する。
【００１７】
また、本発明の撮影システムは、カメラによる画像撮影の開始に先立ち、近距離無線通信が可能な他の携帯端末を検出した時には、近距離無線通信を通じて携帯端末の位置情報と移動方向情報を要求し、その要求に応じて上記携帯端末から送信された位置情報と移動方向情報を受信したならば、自装置の撮影方向情報及び位置情報と携帯端末の位置情報及び移動方向情報とに基づいて、携帯端末がカメラの撮影領域内に移動してくるか否か判断し、携帯端末がカメラの撮影領域内に移動してくると判断した時には、その旨を表す所定通知を近距離無線通信を通じて携帯端末へ送信する撮影装置と、近距離無線通信を通じて撮影装置から位置情報と移動方向情報の要求を受信した時、その要求に応じて自端末の位置情報と移動方向情報を撮影装置へ返送し、携帯端末がカメラの撮影領域内に移動する旨を表す所定通知を近距離無線通信を通じて受信した時には、その旨をユーザへ報知する携帯端末とを有することにより、上述した課題を解決する。
【００１８】
本発明の撮影報知方法は、撮影装置が、カメラによる画像撮影の開始に先立ち、近距離無線通信が可能な他の携帯端末を検出した時、カメラの撮影方向情報と自装置の位置情報とを、近距離無線通信部を通じて他の携帯端末へ送信するステップと、携帯端末が、近距離無線通信により撮影装置の位置情報と撮影方向情報を受信した時、自端末の位置情報及び移動方向情報と撮影装置の位置情報及び撮影方向情報とに基づいて、自端末が撮影装置の撮影領域内に移動するか否かを判断し、自端末が撮影装置の撮影領域内に移動すると判断した場合には、その旨を自端末のユーザへ報知するステップとを有することにより、上述した課題を解決する。
【００１９】
また、本発明の撮影報知方法は、撮影装置が、カメラによる画像撮影の開始に先立ち、近距離無線通信が可能な他の携帯端末を検出した時には、カメラの撮影方向情報と自装置の位置情報とを、近距離無線通信部を通じて他の携帯端末へ送信し、近距離無線通信を通じて他の携帯端末から所定通知を受信した時には、ユーザに対して当該所定通知に応じた報知を行うステップと、携帯端末が、近距離無線通信を通じて撮影装置の位置情報と撮影方向情報を受信した時には、自端末の位置情報及び移動方向情報と撮影装置の位置情報及び撮影方向情報とに基づいて、自端末が撮影装置の撮影領域内に移動するか否かを判断し、自端末が撮影装置の撮影領域内に移動すると判断した時には、その旨を表す所定通知を近距離無線通信を通じて上記撮影装置へ送信するステップとを有することにより、上述した課題を解決する。
【００２０】
また、本発明の撮影報知方法は、撮影装置が、カメラによる画像撮影の開始に先立ち、近距離無線通信が可能な他の携帯端末を検出した時には、近距離無線通信を通じて携帯端末の位置情報と移動方向情報を要求し、その要求に応じて携帯端末から送信された位置情報と移動方向情報を受信したならば、自装置の撮影方向情報及び位置情報と、携帯端末の位置情報及び移動方向情報とに基づいて、携帯端末がカメラの撮影領域内に移動してくるか否か判断し、携帯端末がカメラの撮影領域内に移動してくると判断した時には、その旨をユーザへ報知するステップと、携帯端末が、近距離無線通信を通じて撮影装置から位置情報と移動方向情報の要求を受信した時、その要求に応じて自端末の位置情報と移動方向情報を撮影装置へ返送するステップとを有することにより、上述した課題を解決する。
【００２１】
撮影装置が、カメラによる画像撮影の開始に先立ち、近距離無線通信が可能な他の携帯端末を検出した時には、近距離無線通信を通じて携帯端末の位置情報と移動方向情報を要求し、その要求に応じて携帯端末から送信された位置情報と移動方向情報を受信したならば、自装置の撮影方向情報及び位置情報と携帯端末の位置情報及び移動方向情報とに基づいて、携帯端末がカメラの撮影領域内に移動してくるか否か判断し、携帯端末がカメラの撮影領域内に移動してくると判断した時には、その旨を表す所定通知を近距離無線通信を通じて携帯端末へ送信するステップと、携帯端末が、近距離無線通信を通じて撮影装置から位置情報と移動方向情報の要求を受信した時、その要求に応じて自端末の位置情報と移動方向情報を撮影装置へ返送し、携帯端末がカメラの撮影領域内に移動する旨を表す所定通知を近距離無線通信を通じて受信した時には、その旨をユーザへ報知するステップとを有することにより、上述した課題を解決する。
【００２２】
すなわち、本発明によれば、カメラの撮影領域内に他者が入ってしまうか否かを、撮影装置側或いは他者所有の携帯端末側で検出可能となされており、カメラの撮影領域内に他者が入ってしまうことが検出された時には、その旨を示す報知を、撮影装置側若しくは他者所有の携帯端末において行うようになされている。
【発明の効果】
【００２３】
本発明においては、カメラの撮影領域内に他者が入ってしまうことを検知した時に、その旨を撮影装置側若しくは他者所有の携帯端末において報知するようになされており、他者は撮影の邪魔になってしまうことを予め知ることができ、また、撮影者は撮影領域内に他者が入ってしまう可能性があることを予め知ることができるため、写真撮影の際に、カメラと被写体との間に他者が入ってしまって撮影に失敗してしまうという事態の発生を少なくすることが可能となっている。
【発明を実施するための最良の形態】
【００２４】
以下、図面を参照しながら、本発明の一実施形態について説明する。
【００２５】
なお、以下の実施形態では、本発明の一例として、デジタルカメラ機能を備えた携帯電話端末を挙げているが、勿論、ここで説明する内容はあくまで一例であり、本発明はこの例に限定されないことは言うまでもない。
【００２６】
〔第１の実施形態の概要〕
図１には、本発明の第１の実施形態におけるユースケースの概念図を示す。
【００２７】
この図１には、携帯電話端末１Ａを持ったユーザ１ａが、その携帯電話端末１Ａのカメラにより所望の被写体（図示は省略している。）を撮影しようとしている時の様子を示している。さらに、図１の例では、上記携帯電話端末１Ａ及びそのユーザ１ａの周囲には、例えば、本発明実施形態にかかる他の携帯電話端末２Ｂ及びそのユーザ２ｂと、携帯電話端末３Ｃ及びそのユーザ３ｃが存在しているとする。また、図１中の指示符号５により示された領域は、上記携帯電話端末１Ａのカメラが向いている方向（つまり、カメラにより撮影を行おうとしている方向、以下、撮影方向と表記する。）と、上記カメラのレンズの画角により決まる撮影領域を示している。なお、上記画角については、上記カメラのレンズ系がズームレンズである場合には、そのズームレンズにおいて設定された焦点距離により変わることになる。
【００２８】
この第１の実施形態において、上記携帯電話端末１Ａは、一般的な携帯電話端末の機能の他に、少なくとも、以下に説明するような近距離無線通信機能、位置測定機能、撮影方向検出機能、演算・制御機能を備えている。
【００２９】
当該携帯電話端末１Ａにおいて、上記近距離無線通信機能は、例えばいわゆるブルートゥース（BlueTooth：登録商標）方式やＵＷＢ（Ultra Wide Band）方式などを用いて、他の携帯電話端末等との間で近距離無線通信を行うために設けられている。
【００３０】
また、当該携帯電話端末１Ａの位置測定機能は、例えばＧＰＳ（Global Positioning System）を利用して自端末１Ａの位置を測定するために設けられている。
【００３１】
当該携帯電話端末１Ａの撮影方向検出機能は、例えば地磁気センサにより地磁気を計測し、その測定により得られた地磁気計測データを用いて、自端末１Ａのカメラのレンズが向いている方位（上記撮影領域に対応した撮影方向）を検出するために設けられている。
【００３２】
当該携帯電話端末１Ａの演算・制御機能は、上記カメラにて撮影を行うカメラモードが起動した場合に、上記近距離無線通信機能を制御して近距離無線通信を開始し、その近距離無線通信に対する応答の有無等を一定時間毎に調べることにより、当該自端末１Ａの周囲に他の携帯電話端末（２Ｂ，３Ｃ等）が存在しているかどうかを判断する。そして、演算・制御機能は、自端末１Ａの周囲に他の携帯電話端末（２Ｂ，３Ｃ）が存在することを検知した場合には、上記位置測定機能を制御して自端末１Ａの現在位置の測定を開始させると同時に、上記撮影方向検出機能を制御して上記撮影方向（カメラが向いている方向）の検出を開始させる。さらに、演算・制御機能は、当該自端末１Ａの現在位置と撮影方向が一定時間変化しないことを確認した上で、自端末１Ａにてカメラモードが起動したことを示すカメラモード起動通知と自端末１Ａの位置情報及び撮影方向情報を、先に検知した他の携帯電話端末（２Ｂ，３Ｃ）へ上記近距離無線通信を通じて通知する。当該演算・制御機能は、自端末１Ａがカメラモードになっている間は、上述した一連の動作を一定時間毎に繰り返す。
【００３３】
また、この第１の実施形態において、携帯電話端末２Ｂは、一般的な携帯電話端末の機能の他に、少なくとも、以下に説明するような近距離無線通信機能と移動計測機能と演算・制御機能とを備えている。
【００３４】
当該携帯電話端末２Ｂにおいて、上記近距離無線通信機能は、上述同様のブルートゥース方式やＵＷＢ方式などを用いて他の携帯電話端末等との間で近距離無線通信を行うために設けられている。
【００３５】
また、当該携帯電話端末２Ｂの移動計測機能は、例えば、ＧＰＳを利用して一定時間毎に計測した自端末２Ｂの位置の変化や、加速度センサからの加速度計測データに基づいて、自端末２Ｂが何れの方向にどの程度の速度で移動しているのかを計測するために設けられている。
【００３６】
当該携帯電話端末２Ｂの演算・制御機能は、上記近距離無線通信を通じて、他の携帯電話端末（１Ａ等）から上記カメラモードの起動通知が送られてきたか否かを監視し、上記他の携帯電話端末（１Ａ）からカメラモード起動通知を受け取った時には、更に当該他の端末（１Ａ）から送られてくる位置情報と撮影方向情報を取得する。次いで、演算・制御機能は、上記移動計測機能を制御して自端末２Ｂの現在位置の測定を開始させると共に自端末２Ｂの移動方向を求め、更に、自端末２Ｂの移動方向と上記他の携帯電話端末（１Ａ）の位置情報及び撮影方向情報とに基づいて、自端末２Ｂが上記他の携帯電話端末（１Ａ）のカメラの前を横切ることになるかどうかを判断する。そして、演算・制御機能は、自端末２Ｂが上記他の携帯電話端末（１Ａ）のカメラの前を横切ることになると判断した場合には、例えば警告音、バイブレータの振動、ＬＥＤ（発光ダイオード）による発光、ディスプレイ上の表示等の何れか若しくはそれらの組み合わせにより、当該自端末２Ｂのユーザ２ｂが上記他の携帯電話端末（１Ａ）のカメラの前を横切って撮影の邪魔をしてしまう虞があることを報知する。なお、ディスプレイを用いた報知を行う場合、上記写真を撮ろうとしているユーザが何処にいるのかを示す情報を表示しても良い。当該演算・制御機能は、上記他の携帯電話端末（１Ａ）からカメラモード起動通知を受け取った後、その端末（１Ａ）と近距離無線通信が可能である間は、上述した一連の動作を一定時間毎に実行する。
【００３７】
図１の例では、携帯電話端末２Ｂのユーザ２ｂが図１中矢印６にて示す方向に移動しており、上記カメラにて撮影を行おうとしている携帯電話端末１Ａの撮影領域５内（つまり携帯電話端末１Ａのカメラの前）に携帯電話端末２Ｂ及びユーザ２ｂが入ってしまうことになるため、当該携帯電話端末２Ｂは、自端末２Ｂが上記携帯電話端末１Ａのカメラの前を横切って撮影の邪魔をしてしまう虞があることをユーザ２ｂに通知する。なお、携帯電話端末２Ｂにおいて、上記携帯電話端末１Ａからカメラモード起動通知を受け取った時点で、既に当該端末１Ａのカメラの撮影領域５内に自端末２Ｂが入ってしまっていることが判った場合には、直ぐにユーザ２ｂに対して撮影の邪魔になっていることの通知を行うようにしても良いし、また例えば、既に携帯電話端末１Ａの撮影領域５内に自端末２Ｂが入っている状態で自携帯電話端末１Ａがカメラモードを起動したということは、自端末２Ｂのユーザ２ｂが元々携帯電話端末１Ａにおける写真撮影の邪魔になっていないと判断してそのまま何も行わないようにしても良い。
【００３８】
また、この図１において、上記携帯電話端末１Ａの周囲に存在する別の携帯電話端末３Ｃもまた上記携帯電話端末２Ｂと同じ機能を備えている。但し、図１の例の場合、携帯電話端末３Ｃは、図１中矢印７にて示す方向に移動しており、自端末３Ｃ及びユーザ３ｃが上記携帯電話端末１Ａの撮影領域５内（携帯電話端末１Ａのカメラの前）に入ってしまうことはない。したがって、この図１の例の場合の携帯電話端末３Ｃの演算・制御機能は、自端末３Ｃが上記携帯電話端末１Ａのカメラの前を横切ることはないと判断し、上記携帯電話端末２Ｂが行うような警告報知を、自端末３Ｃのユーザ３ｃに対して行うことなく、通常の動作を続行する。
【００３９】
なお、第１の実施形態では説明を省略しているが、上記携帯電話端末２Ｂと３Ｃも上記携帯電話端末１Ａと同じ機能を備えていても良いし、また、上記携帯電話端末１Ａについても上記携帯電話端末２Ｂ，３Ｃと同じ機能を備えていても良い。
【００４０】
〔携帯電話端末の概略的な内部構成〕
図２には、本発明実施形態の携帯電話端末の概略的な内部構成を示す。なお、図２の構成は、本実施形態の携帯電話端末が上述した各携帯電話端末１Ａ，２Ｂ，３Ｃの全ての機能を備えている場合の内部構成を示している。
【００４１】
図２において、通信アンテナ１２は、例えば内蔵アンテナであり通話やパケット通信のための信号電波の送受信を行う。通信回路１１は、送受信信号の周波数変換、変調と復調等を行う。上記通信アンテナ１２及び通信回路１１にて受信された通話音声データは、データラインを介して音声処理部２２へ送られ、それ以外の受信データは、一旦、制御部１０へ送られて処理された後、必要に応じて当該制御部１０から各部へ送られる。
【００４２】
音声処理部２２は、上記通信アンテナ１２及び通信回路１１から通話音声データが供給された時には、当該通話音声データを復号化し、その復号化後の通話音声データをデータラインを介してスピーカ２０へ送る。
【００４３】
スピーカ２０は、携帯電話端末に設けられている受話用のスピーカやリンガ（着信音）、音楽再生、アラーム音，警告音出力用のスピーカであり、ディジタル／アナログ変換器と増幅器を含み、通話音声やリンガ音，再生音楽等のデータを、ディジタル／アナログ変換及び増幅した後に出力する。これにより、通話音声やリンガ音，警告音，再生音楽が得られることになる。
【００４４】
マイクロホン２１は、送話用及び外部音声集音用のマイクロホンであり、アナログ／ディジタル変換器と増幅器を含む。このマイクロホン２１を介して入力された音声信号は、増幅器により所定のレベルに増幅された後、アナログ／ディジタル変換器によりディジタル音声データに変換され、データラインを介して音声処理部２２へ送られて符号化された後、データラインを介して通信回路１１へ送られて変調、周波数変換等の各種処理を受け、通信アンテナ１２から送信される。
【００４５】
表示部１３は、例えば液晶ディスプレイ等の表示デバイスと、そのディスプレイの表示駆動回路とを含み、上記ディスプレイ上に画像や文字、各種メッセージ等を表示する。
【００４６】
画像処理部２３は、内蔵メモリや図示しない外部メモリインターフェースを介して外部メモリから読み出された圧縮符号化されている画像データが供給された時、その画像データの伸張復号化等の再生処理を行い、その伸張復号後の画像データをデータラインを介して表示部１３へ送る。
【００４７】
操作部１４は、本実施形態の携帯電話端末の図示しない筐体上に設けられているテンキーや発話キー、終話／電源キー等の各キーや十字キー，ジョグダイヤル等の各操作子と、それら操作子が操作された時の操作信号を発生する操作信号発生器とからなる。本実施形態において、上記操作部１４の各操作子は、ユーザによる電源のオン／オフ操作、発信や着信の指示操作、電話番号入力操作や電子メール等の文字入力操作、ディスプレイ上に表示されたメニュー項目の選択操作、デジタルカメラ機能におけるシャッター操作等のために用いられる。
【００４８】
カメラ部１７は撮像デバイスとレンズ系等からなり、レンズ系は被写体像を撮像デバイスの撮像面上に結像させ、撮像デバイスは撮像面上の光像を電気信号に変換する。カメラ制御部１６は、上記カメラ部１７の撮像デバイスより供給された電気信号から静止画像や動画像のデータを生成し、その画像データを画像処理部２３に送る。また、カメラ制御部１６は、上記レンズ系がオートフォーカス機構やズーム機構を備えている場合に、それらの駆動制御を行う。なお、カメラ制御部１６は、必要に応じて、オートフォーカス機構の駆動情報やマクロモード／遠景撮影モード等のモード切替情報などのレンズ系における撮影距離設定パラメータを基に被写体までの距離データを生成することも可能であり、また、ズーム機構の駆動値を基にレンズ系の画角データを生成することも可能となされており、それら生成した距離データや画角データを制御部１０へ送る。これにより、制御部１０は、上記距離データを基に被写体までの距離を知ることができ、また、画角データを基に撮影領域５の大きさ（広がり具合）を知ることができることになる。
【００４９】
加速度センサ部２４は、当該携帯電話端末の移動等に伴う加速度を計測し、その加速度計測データを制御部１０へ送る。これにより、制御部１０は、当該携帯電話端末が移動しているかどうかや移動時の速度等を求めることができる。
【００５０】
地磁気センサ部２５は、地磁気を計測し、その地磁気計測データを制御部１０へ送る。これにより、制御部１０は、当該携帯電話端末の方位（本実施形態では特にカメラ部１７の撮像方向を表す方角つまりユーザがカメラを向けている方向）を求めることができる。
【００５１】
なお、上記加速度センサ部２４からの加速度計測データと地磁気センサ部２５からの地磁気計測データを組み合わせることにより、制御部１０は、携帯電話端末がどの方向にどれくらいの速度で移動しているのかを知ることもできる。
【００５２】
ＧＰＳアンテナ２７は、ＧＰＳにおける測地衛星の発信する電波を受信する。ＧＰＳ制御部２６は、ＧＰＳアンテナ２７の受信電波に基づいて、自端末の現在位置の緯度及び経度を求める。このＧＰＳアンテナ２７及びＧＰＳ制御部２６により得られたＧＰＳデータ（緯度，経度を表す情報）は制御部１０へ送られる。これにより、制御部１０は、自端末の現在位置を知ることができると共に、例えば一定時間毎に得られたＧＰＳデータの差分に基づいて、自端末の移動の有無、移動時の移動距離や移動速度、移動方向などを知ることができる。
【００５３】
近距離無線通信制御部２８と近距離無線通信アンテナ２９は、例えばいわゆるブルートゥース方式やＵＷＢ方式などによる近距離無線通信を行うためのデバイスである。
【００５４】
メモリ１５は、ＲＯＭ（Read Only Memory）とＲＡＭ（Random Access Memory）を含む。ＲＯＭは、ＯＳ（Operating System）、制御部１０が各部を制御するための制御プログラムや各種の初期設定値、フォントデータや各辞書データ、本実施形態にかかる前述した近距離無線通信機能や位置測定機能，撮影方向検出機能，移動計測機能，演算・制御機能等を実行及び制御するためのプログラムコードや、一般の携帯電話端末に搭載される各種のアプリケーションプログラムコード、当該携帯電話端末の識別情報（ＩＤ）などを記憶している。このＲＯＭは、いわゆるＮＡＮＤ型フラッシュメモリ（NAND-type flash memory）のような書き換え可能なＲＯＭをも含み、当該書き換え可能なＲＯＭには、例えば電子メールデータ、電話帳データ、スケジュールデータ、メモ帳データ、画像データ、画像データや音楽データ、着信音，報知音データ、文字データ、学習データ、ダウンロード等されたアプリケーションプログラムコード、その他、各種の設定値等を保存することも可能となされている。ＲＡＭは、制御部１０が各種のデータ処理を行う際の作業領域として、随時データを格納する。
【００５５】
上記制御部１０は、通信回路１１における通信の制御、近距離無線通信における通信の制御、ＧＰＳにおける測位の制御、カメラにおける撮影等の制御、加速度センサの動作制御、地磁気センサの動作制御、ディスプレイの表示制御、メモリの書き込み／読み出し制御、音声処理や画像処理等の各制御の他、携帯電話端末の各構成要素の制御や各種演算処理を行う。詳細な処理動作については後述するが、特に、本実施形態の場合、制御部１０は、上記メモリ部１５に格納されている本実施形態にかかるプログラムを実行することにより、前述した近距離無線通信機能や位置測定機能，撮影方向検出機能，移動計測機能，演算・制御機能等を実現する。
【００５６】
その他、図２には図示を省略しているが、本発明の携帯電話端末は、年月日時等の情報を発生したり時間を計測する時計部や、外部メモリが接続されるメモリインターフェース部、外部ケーブルが接続されるケーブル用コネクタ部、キー照明や着信ライト用などのＬＥＤ（発光ダイオード）とその駆動部、バイブレータとその駆動部、各部へ電力を供給するバッテリとその電力をコントロールするパワーマネージメントＩＣ部、いわゆる電子マネーのための情報記憶と信号の送受信を行う電子財布部など、一般的な携帯電話端末に設けられる各構成要素についても備えている。
【００５７】
〔第１の実施形態において、写真撮影を行う側の携帯電話端末の処理フロー〕
図３には、本発明の第１の実施形態にかかる各携帯電話端末のうち、カメラにより撮影を行う側の携帯電話端末１Ａが、前述した近距離無線通信機能，位置測定機能，撮影方向検出機能，演算・制御機能を実行する際の一連の処理の流れを示す。なお、この図３のフローチャートに示す処理は、上記カメラにより撮影を行う側の携帯電話端末１Ａのメモリ部１５に格納された本実施形態にかかるプログラムを、当該端末１Ａの制御部１０が実行することにより実現される。
【００５８】
図３において、携帯電話端末１Ａにおいて電源がＯＮされると、制御部１０は、ステップＳ１の処理として、例えば操作部１４の操作を通じてユーザ１ａによりカメラモードの起動要求が入力されたかどうかを判定しており、カメラモードの起動要求が入力されたと判断すると、ステップＳ２へ処理を進める。
【００５９】
ステップＳ２の処理に進むと、制御部１０は、カメラ制御部１６を通じてカメラ部１７を制御し、写真撮影を実行可能なカメラモードを起動させると共に、近距離無線通信制御部２８を制御して、近距離無線通信を開始させる。
【００６０】
次に、制御部１０は、ステップＳ３へ処理を進め、上記近距離無線通信に対する応答の有無等を調べることにより、自端末１Ａの周囲（近距離無線通信が可能な距離範囲内）に他の携帯電話端末が存在するか否かの検出を行う。当該ステップＳ３において、他の携帯電話端末を検出できない場合、制御部１０は、ステップＳ８へ処理を進め、当該ステップＳ８にて一定時間Ｔが経過するのを待ってからステップＳ３へ処理を戻す。一方、ステップＳ３において、他の携帯電話端末（２Ｂ，３Ｃ等）を検出した場合、制御部１０は、ステップＳ４へ処理を進める。
【００６１】
ステップＳ４の処理に進むと、制御部１０は、ＧＰＳ制御部２６を制御して自端末１Ａの位置情報を求める処理と、地磁気センサ部２５からの地磁気計測データに基づいてカメラ部１７が向いている方角（撮影方向）を求める処理を、例えば一定時間毎に複数回繰り返す。
【００６２】
次に、制御部１０は、ステップＳ５へ処理を進め、ステップＳ４での複数回の処理により得られた各位置情報と各撮影方向情報の内容が、それら複数回においてそれぞれ略々同じか否かの判定を行う。当該ステップＳ５において、制御部１０は、それら位置情報と撮影方向情報の内容が異なっていると判定した場合にはステップＳ４へ処理を戻し、一方、それら位置情報と撮影方向情報の内容が略々同じであると判定した場合にはステップＳ６へ処理を進める。すなわちこの時、制御部１０は、上記複数回の処理により得られた各位置情報と各撮影方向情報がそれぞれ略々同じである場合には、自端末１Ａのユーザ１ａがその場所を動かず且つカメラの撮影方向も動かさずに、今まさに写真を撮ろうとしていると判断し、一方、上記各位置情報と各撮影方向情報の何れか片方でも変化がある場合には、ユーザ１ａが場所を移動したりカメラの撮影方向を動かして、未だどこで何を撮影しようか悩んでいると判断し、上記各位置情報と各撮影方向情報の内容が変化しなくなるまで、それら位置情報と撮影方向情報の取得処理と上記判定の処理を続ける。
【００６３】
上記ユーザ１ａが今まさに写真を撮ろうとしていると判断してステップＳ６の処理に進むと、制御部１０は、ステップＳ３で先に検出した他の携帯電話端末（２Ｂ，３Ｃ等）に対して、自端末１Ａにてカメラモードが起動したことを通知するためのカメラモード起動通知を上記近距離無線制御部２８を通じて送信させ、更に、自端末１Ａの位置情報及び撮影方向情報を上記他の携帯電話端末（２Ｂ，３Ｃ等）へ送信させる。
【００６４】
また、制御部１０は、ステップＳ７の処理として、上記ステップＳ３で検出した全ての他の携帯電話端末（２Ｂ，３Ｃ等）に対して上記カメラモード起動通知と自端末１Ａの位置情報及び撮影方向情報を送信したか否か判断する。そして、制御部１０は、当該ステップＳ７にて全ての他の携帯電話端末に対して通知が完了していないと判断した場合にはステップＳ６へ処理を戻し、一方、全ての他の携帯電話端末への通知が完了したと判断した場合には、ステップＳ８へ処理を進める。
【００６５】
ステップＳ８の処理に進むと、制御部１０は、一定時間Ｔが経過するのを待ってからステップＳ３へ処理を戻す。これにより、本実施形態の携帯電話端末は、ステップＳ３にて例えば新たに別の携帯電話端末が検出された場合や既に検知されていた他の携帯電話端末が自端末１Ａから離れて行った場合のように、前回の通知を行った時とは状況が変わったような場合にも、その状況の変化に対応した処理が可能となる。
【００６６】
なお、この図３のフローチャートには図示を省略しているが、制御部１０は、操作部１４の操作を通じてユーザ１ａによりカメラモードの終了要求が行われたかどうかを常に監視しており、カメラモードの終了要求がなされたときには、何れの処理途中であってもその処理を中断し、ステップＳ１へ処理を戻して、再度カメラモードが起動されるのを待つ状態となる。
【００６７】
〔第１の実施形態において撮影通知を受ける側の携帯電話端末の処理フロー〕
図４には、本発明の第１の実施形態にかかる各携帯電話端末のうち、前述したカメラにより撮影を行う携帯電話端末１Ａからカメラモード起動通知や位置情報及び撮影方向情報の通知を受ける側の携帯電話端末（２Ｂ，３Ｃ等）が、前述した近距離無線通信機能，移動計測機能，演算・制御機能を実行する際の一連の処理の流れを示す。なお、この図４のフローチャートでは、上記通知を受ける側の携帯電話端末（２Ｂ，３Ｃ）のうち、図１の携帯電話端末１Ａのカメラの前を横切る携帯電話端末２Ｂでの処理を例に挙げて説明する。また、この図４に示すフローチャートの処理は、上記通知を受ける側の携帯電話端末２Ｂのメモリ部１５に格納された本実施形態にかかるプログラムを、当該端末２Ｂの制御部１０が実行することにより実現される。
【００６８】
図４において、携帯電話端末２Ｂにおいて電源がＯＮされると、制御部１０は、ステップＳ１０の処理として、上記近距離無線通信制御部２８及び近距離無線通信アンテナ２９が近距離無線通信により他の携帯電話端末（この例では端末１Ａ）からカメラモード起動通知を受け取ったか否かを判定しており、他の携帯電話端末（１Ａ）からカメラモード起動通知を受け取ったと判定した時にはステップＳ１１へ処理を進める。
【００６９】
ステップＳ１１の処理に進むと、制御部１０は、上記カメラモード起動通知と共に上記他の携帯電話端末（１Ａ）から共に送られてくる、その端末（１Ａ）の位置情報と撮影方向情報を取得する。
【００７０】
次に、制御部１０は、ステップＳ１２の処理として、ＧＰＳ制御部２６を制御して自端末２Ｂの位置情報を求めると共に、一定時間毎の位置情報の差分や、加速度センサ部２４と地磁気センサ部２５の計測データ等に基づいて、当該自端末２Ｂの移動方向や移動速度を取得する。
【００７１】
次に、制御部１０は、ステップＳ１３へ処理を進め、上記他の携帯電話端末１Ａから送られてきた位置情報及び撮影方向情報と、自端末２Ｂにて計測した位置情報と移動方向情報とに基づいて、前述したように、自端末２Ｂつまりユーザ２ｂが上記他の携帯電話端末１Ａのカメラの前を横切ろうとしているかどうかを計算する。
【００７２】
そして、制御部１０は、ステップＳ１４へ処理を進め、上記ステップＳ１３での計算の結果、上記他の携帯電話端末１Ａのカメラの前を自端末２Ｂが横切らないと判断した場合にはステップＳ１０へ処理を戻し、次のカメラモード起動通知を待つ。一方、携帯電話端末１Ａのカメラの前を横切ると判断した場合、制御部１０はステップＳ１５へ処理を進める。
【００７３】
ステップＳ１５の処理に進むと、制御部１０は、上記他の携帯電話端末１Ａのユーザ１ａにおける写真撮影を邪魔する可能性があることを、例えば、警告音、バイブレータの振動、ＬＥＤの光、ディスプレイ上の表示等の何れか若しくはそれらの組み合わせにより、自端末２Ｂのユーザ２ｂへ報知した後、ステップＳ１０へ処理を戻す。
【００７４】
〔第１の実施形態のまとめ〕
この第１の実施形態によれば、カメラにより撮影を行おうとしている携帯電話端末１Ａの周囲に存在する他の携帯電話端末２Ｂ，３Ｃのうち、特に携帯電話端末１Ａのカメラの前を横切る可能性のある携帯電話端末２Ｂのユーザ２ｂは、自分が携帯電話端末１Ａの写真撮影の邪魔になってしまうことを知ることができ、その結果、携帯電話端末１Ａでの写真撮影の邪魔にならないように行動することができる。一方、携帯電話端末１Ａのユーザ１ａは、他の携帯電話端末のユーザによって撮影が邪魔されることなく、写真の撮影を行うことが可能となる。
【００７５】
〔第２の実施形態〕
第１の実施形態では、携帯電話端末１Ａのカメラの前を携帯電話端末２Ｂのユーザ２ｂが横切ろうとしている場合に、当該携帯電話端末２Ｂがユーザ２ｂに対して、携帯電話端末１Ａのカメラの前を横切ってしまうことを通知する例を挙げたが、本発明においては、以下の第２の実施形態にて説明するように、携帯電話端末１Ａのカメラの前を携帯電話端末２Ｂのユーザ２ｂが横切ろうとした場合に、携帯電話端末２Ｂのユーザ２ｂが携帯電話端末１Ａのカメラの前を横切ることを、近距離無線通信を用いて当該端末２Ｂから端末１Ａへ通知し、その通知を受けた携帯電話端末１Ａが、ユーザ１ａに対して、自端末１Ａのカメラの前を他者（端末２Ｂのユーザ２ｂ）が横切る虞があることを通知することも可能となされている。
【００７６】
この第２の実施形態において、携帯電話端末１Ａと携帯電話端末２Ｂの構成は前述の第１の実施形態と概ね同じである。図５には、本発明の第２の実施形態において、カメラにより撮影を行う側の携帯電話端末１Ａにて行われる一連の処理の流れを示し、また、図６には、第２の実施形態において、携帯電話端末１Ａからカメラモード起動通知や位置情報等の通知を受ける側の携帯電話端末２Ｂにて行われる一連の処理の流れを示す。これら図５，図６において、前述の図３，図４と同じ処理ステップには同一の指示符号を付してそれらの説明については省略する。
【００７７】
本発明の第２の実施形態の場合、携帯電話端末１Ａからカメラモード起動通知や位置情報等を受けた側の携帯電話端末２Ｂの制御部１０は、図６のステップＳ１６において、自端末２Ｂのユーザ２ｂが携帯電話端末１Ａのカメラの前を横切る旨の通知を、近距離無線通信を通じて携帯電話端末１Ａ側へ送信する。勿論、この時の携帯電話端末２Ｂは、上記携帯電話端末１Ａへの通知と同時に、前述の第１の実施形態の場合と同様に、自端末２Ｂのユーザ２ｂが携帯電話端末１Ａのカメラの前を横切ってしまうことを当該ユーザ２ｂへも通知する処理を行っても良い。
【００７８】
一方、この第２の実施形態において、カメラにて撮影を行う側の携帯電話端末１Ａは、例えば、図５のステップＳ７の処理後に、ステップＳ９とステップＳ１０の処理を行う。すなわち、第２の実施形態において、ステップＳ７からステップＳ９の処理に進むと、当該携帯電話端末１Ａの制御部１０は、上記カメラモード起動通知等を送った先の他の携帯電話端末２Ｂが、自端末１Ａのカメラの前を横切ることになることを通知してきたか否か判断する。そして、制御部１０は、当該ステップＳ９において、他の携帯電話端末２Ｂが、自端末１Ａのカメラの前を横切ることになることを通知してきていない間はステップＳ８へ処理を進め、一方、上記携帯電話端末２Ｂが自端末１Ａのカメラの前を横切ることになることを通知してきた時には、ステップＳ１０へ処理を進める。
【００７９】
ステップＳ１０の処理に進むと、制御部１０は、他の携帯電話端末２Ｂが自端末１Ａのカメラの前を横切ることで写真撮影が邪魔される可能性があることを、例えば音や振動、発光、ディスプレイ表示等によりユーザ１ａへ通知する処理を行う。なお、携帯電話端末１Ａは、他の携帯電話端末２Ｂにより写真撮影が邪魔される可能性があることをユーザ１ａに通知する際に、当該写真撮影の邪魔をする可能性がある携帯電話端末２Ｂ（のユーザ２ｂ）が何処に居るのかをディスプレイ上に表示することも可能である。
【００８０】
その後、ステップＳ８の処理に進むと、制御部１０は、一定時間Ｔが経過するまでの間はステップＳ９へ処理を戻す。これにより、本実施形態の携帯電話端末は、上記一定時間Ｔが経過する前に、自端末１Ａのカメラの前を横切ることになることの通知を、他の携帯電話端末から新たに受けたような場合にも、それに対応した処理が可能となる。
【００８１】
〔第２の実施形態のまとめ〕
この第２の実施形態によれば、カメラにより撮影を行おうとしている側の携帯電話端末１Ａのユーザ１ａは、自分の周囲に存在する他の携帯電話端末２Ｂ，３Ｃのうち、特に自端末１Ａのカメラの前を横切って写真撮影の邪魔をする可能性のある携帯電話端末２Ｂの存在を知ることができ、その結果、当該携帯電話端末２Ｂのユーザ２ｂにより写真撮影が邪魔されてしまう前に、若しくは、携帯電話端末２Ｂのユーザ２ｂが自端末１Ａのカメラの前から居なくなって撮影の邪魔にならなくなった後に、写真撮影を行うことができるようになる。
【００８２】
〔第３の実施形態〕
第１，第２の実施形態では、携帯電話端末１Ａが位置情報と撮影方向情報を周囲の他の携帯電話端末（２Ｂ，３Ｃ等）へ通知し、それら周囲の携帯電話端末（２Ｂ，３Ｃ等）において自端末（２Ｂ，３Ｃ）が携帯電話端末１Ａのカメラの前を横切るかどうかを計算する例を挙げたが、本発明においては、以下の第３の実施形態で説明するように、周囲の携帯電話端末（２Ｂ，３Ｃ等）が各々自端末（２Ｂ，３Ｃ）にて測定した位置情報や移動方向情報を携帯電話端末１Ａへ送り、それら位置情報や移動方向情報を取得した携帯電話端末１Ａが、自端末１Ａのカメラの前を他の携帯電話端末（２Ｂ，３Ｃ等）が横切るかどうかを自ら計算することも可能となされている。
【００８３】
この第３の実施形態において、携帯電話端末１Ａと携帯電話端末２Ｂ，３Ｃの構成は前述の第１の実施形態と概ね同じである。図７には、第３の実施形態において、カメラにより撮影を行う側の携帯電話端末１Ａにて行われる一連の処理の流れを示し、また、図８には、第３の実施形態において、携帯電話端末１Ａから位置情報等の要求を受ける側の携帯電話端末２Ｂにて行われる一連の処理の流れを示す。これら図７，図８において、前述の図３〜図６と同じ処理ステップには同一の指示符号を付してそれらの説明は省略する。
【００８４】
本発明の第３の実施形態の場合、携帯電話端末１Ａの制御部１０は、図７のステップＳ５において、先のステップＳ４で取得した位置情報と撮影方向情報の内容が略々同じであると判断した場合には、ステップＳ２１へ処理を進める。
【００８５】
ステップＳ２１の処理に進むと制御部１０は、先のステップＳ３で検出した他の携帯電話端末（２Ｂ，３Ｃ等）に対し、近距離無線通信を通じて、それら他の携帯電話端末（２Ｂ，３Ｃ）の各位置情報と移動方向情報の送信を要求する（必要に応じて移動速度情報の送信要求も行う）。
【００８６】
次に、制御部１０は、ステップＳ２２の処理として、近距離無線通信を通じて上記要求を行った他の携帯電話端末（２Ｂ，３Ｃ等）から位置情報と移動方向情報等を取得すると、ステップＳ２３の処理として、先のステップＳ４にて取得した自端末１Ａの位置情報及び撮影方向情報と、上記ステップＳ２２にて取得した他の携帯電話端末（２Ｂ，３Ｃ等）の位置情報及び移動方向情報等に基づいて、それら他の携帯電話端末（２Ｂ，３Ｃ等）のユーザ（２ｂ，３ｃ）が自端末１Ａのカメラの前を横切ろうとしているかどうかを計算する。
【００８７】
そして、制御部１０は、ステップＳ２４において、周囲の他の全ての携帯電話端末（２Ｂ，３Ｃ等）のユーザ（２ｂ，３ｃ等）について、自端末１Ａのカメラの前を横切るか否かの計算を終えたか否か判断する。他の全ての携帯電話端末のユーザについての計算が終了していない時にはステップＳ２３へ処理を戻し、計算が終了した時にはステップＳ２５へ処理を進める。
【００８８】
ステップＳ２５の処理に進むと、制御部１０は、自端末１Ａのカメラの前を横切る他の携帯電話端末のユーザの中で、一人でも自端末１Ａのカメラの前を横切る他端末ユーザが存在するか否か判断する。当該ステップＳ２５において、制御部１０は、一人もカメラの前を横切る他端末ユーザが存在しないと判断した時にはステップＳ８へ処理を進め、一人でもカメラの前を横切る他端末（２Ｂ）のユーザ（２ｂ）が存在すると判断した時にはステップＳ２６へ処理を進める。
【００８９】
ステップＳ２６の処理に進むと、制御部１０は、自端末１Ａのカメラにより写真撮影が他端末２Ｂのユーザ２ｂにより邪魔される可能性があることを、例えば警告音、バイブレータの振動、ＬＥＤの光、ディスプレイ上の表示等の何れか若しくはそれらの組み合わせにより、当該自端末１Ａのユーザ１ａへ報知した後、ステップＳ８へ処理を進める。
【００９０】
一方、この第３の実施形態において、携帯電話端末２Ｂ，３Ｃの各々の制御部１０は、電源ＯＮ後、図８のステップＳ２７の処理として、他の携帯電話端末１Ａから位置情報等の要求があったか否か監視しており、当該要求があったと判断した時にはステップＳ１２へ処理を進める。
【００９１】
そして、制御部１０は、ステップＳ１２の処理として各々自端末２Ｂ，３Ｃの位置情報と移動方向や移動速度の情報を取得すると、次に、ステップＳ２８の処理として、それぞれ自端末２Ｂ，３Ｃの位置情報と移動方向情報等を、近距離無線通信を通じて、上記要求を行った携帯電話端末１Ａへ送信した後、ステップＳ２７へ処理を戻す。
【００９２】
〔第３の実施形態のまとめ〕
この第３の実施形態によれば、カメラにより撮影を行おうとしている携帯電話端末１Ａのユーザ１ａは、自分の周囲に存在する他の携帯電話端末２Ｂ，３Ｃのうち、特に自端末１Ａのカメラの前を横切る可能性のある携帯電話端末２Ｂが存在していることを知ることができ、その結果、当該携帯電話端末２Ｂのユーザ２ｂにより写真撮影が邪魔されてしまう前に、若しくは、携帯電話端末２Ｂのユーザ２ｂが自端末１Ａのカメラの前から居なくなって撮影の邪魔にならなくなった後に、写真撮影を行うことができるようになる。また、第３の実施形態の場合、携帯電話端末１Ａの周囲の携帯電話端末２Ｂ，３Ｃは、第１，第２の実施形態のように各々自端末が携帯電話端末１Ａの撮影を邪魔するかどうかの計算を行わなくても良い。
【００９３】
〔第４の実施形態〕
第３の実施形態では、携帯電話端末１Ａのカメラの前を他の携帯電話端末２Ｂのユーザ２ｂが横切ろうとしている場合に、当該携帯電話端末１Ａが、ユーザ１ａに対して、他の携帯電話端末２Ｂのユーザ２ｂにより撮影が邪魔される可能性があることを通知する例を挙げたが、本発明においては、以下の第４の実施形態にて説明するように、携帯電話端末１Ａのカメラの前を携帯電話端末２Ｂのユーザ２ｂが横切る可能性がある場合に、当該携帯電話端末２Ｂのユーザ２ｂが自端末１Ａのカメラの前を横切ってしまうことを、近距離無線通信を用いて当該端末１Ａから端末２Ｂへ通知し、その通知を受けた携帯電話端末２Ｂが、そのユーザ２ｂに対して、携帯電話端末１Ａでの写真撮影の邪魔をしてしまう虞があることを通知することも可能である。
【００９４】
この第４の実施形態において、携帯電話端末１Ａと他の携帯電話端末２Ｂ，３Ｃの構成は前述の第１の実施形態と概ね同じである。図９には、第４の実施形態において、カメラにより撮影を行う側の携帯電話端末１Ａにて行われる一連の処理の流れを示し、また、図１０には、第４の実施形態において、携帯電話端末１Ａから位置情報等の要求を受ける側の携帯電話端末２Ｂ，３Ｃにて行われる一連の処理の流れを示す。これら図９，図１０において、前述の図３〜図８と同じ処理ステップには同一の指示符号を付してそれらの説明は省略する。
【００９５】
本発明の第４の実施形態の場合、携帯電話端末１Ａの制御部１０は、図９のステップＳ２５において、自端末１Ａのカメラの前を横切る他端末（２Ｂ）のユーザ（２ｂ）が一人でも存在する判断した場合には、ステップＳ２９の処理として、自端末１Ａでの写真撮影を邪魔してしまう可能性があることを、近距離無線通信を通じて、当該カメラの前を横切ろうとしているユーザ２ｂの携帯電話端末２Ｂへ通知し、その後、ステップＳ８へ処理を進める。勿論、携帯電話端末１Ａは、携帯電話端末２Ｂのユーザ２ｂが自端末１Ａのカメラの前を横切る旨を上記携帯電話端末２Ｂへ通知する際に、前述の第３の実施形態の場合と同様にユーザ１ａへ通知する処理を同時に行っても良い。
【００９６】
一方、この第４の実施形態において、携帯電話端末２Ｂ，３Ｃの制御部１０は、例えば図１０のステップＳ２８の処理後、ステップＳ３０の処理として、先に位置情報等の要求を行ってきた携帯電話端末１Ａから、それぞれ自端末２Ｂ，３Ｃがその携帯電話端末１Ａのカメラの前を横切る可能性がある旨の通知を受けたか否か判断する。そして、当該ステップＳ３０において、制御部１０は、例えば自端末が携帯電話端末１Ａのカメラの前を横切る可能性がある旨の通知を受けていないと判断している時には、ステップＳ２７へ処理を戻し、一方、自端末が携帯電話端末１Ａのカメラの前を横切る可能性がある旨の通知を受けた時には、ステップＳ３１へ処理を進める。
【００９７】
ステップＳ３１の処理に進むと、携帯電話端末（２Ｂ）の制御部１０は、携帯電話端末１Ａのカメラの前を横切る可能性があることを、例えば音や振動、発光、ディスプレイ表示等によりユーザ２ｂへ通知する処理を行う。なお、携帯電話端末２Ｂは、携帯電話端末１Ａのカメラの前を横切る旨をユーザ２ｂに対して通知する際に、上記撮影の邪魔をしてしまう可能性があるユーザ１ａが何処で写真を撮ろうとしているのかをディスプレイ上に表示することも可能である。制御部１０は、当該ステップＳ３１の処理後、ステップＳ２７へ処理を戻す。
【００９８】
〔第４の実施形態のまとめ〕
この第４の実施形態によれば、カメラにより撮影を行おうとしている携帯電話端末１Ａの周囲に存在する他の携帯電話端末２Ｂ，３Ｃのうち、特に携帯電話端末１Ａのカメラの前を横切る可能性のある携帯電話端末２Ｂのユーザ２ｂは、自分が携帯電話端末１Ａの写真撮影の邪魔になってしまうことを知ることができ、その結果、携帯電話端末１Ａでの写真撮影の邪魔にならないように行動することができる。これにより、携帯電話端末１Ａのユーザ１ａは、他の携帯電話端末のユーザによって撮影が邪魔されることなく、写真の撮影を行うことができるようになる。
【００９９】
〔第５の実施形態〕
前述の第１〜第４の実施形態では、携帯電話端末１Ａの位置と撮影方向を元に、他の携帯電話端末（２Ｂ，３Ｃ等）が写真撮影の邪魔をしてしまうか否か判断していたが、本発明においては、以下の第５の実施形態で説明するように、携帯電話端末１Ａにて写真撮影が行われる際のカメラから被写体までの距離を算出し、前述の各実施形態で説明した位置情報及び撮影方向情報と当該算出した距離情報とを組み合わせて用いることにより、他の携帯電話端末（２Ｂ，３Ｃ）のユーザ（２ｂ，３ｃ等）が携帯電話端末１Ａのカメラと被写体との間に入ってくるのか否かを判断し、携帯電話端末１Ａのカメラと被写体との間に他の携帯電話端末（２Ｂ，３Ｃ）のユーザ（２ｂ，３ｃ等）が入ってくると判断した場合にのみ、前述の各実施形態で説明したような撮影の邪魔にならないようにするための処理を行うようにし、一方で、携帯電話端末１Ａの撮影方向に他の携帯電話端末のユーザ（２ｂ，３ｃ等）が入ることになったとしてもカメラと被写体との間には入ってこないような場合（例えば被写体の後ろを通るなど）には、撮影の邪魔にならないと考えて、前述したような処理を行わないようにする（カメラの前を横切らない場合と同じ処理を行う）ことも可能である。すなわち、この第５の実施形態の場合は、前述の第１〜第４の実施形態の各フローチャートにおいて、カメラによる撮影の邪魔になるかどうかの計算を行う際に、位置情報や撮影方向情報と共に上記距離情報をも加味した計算を行う。
【０１００】
ここで、当該第５の実施形態において、上記携帯電話端末１Ａのカメラと被写体との間の距離を算出する方法としては、以下のような第１，第２の距離算出方法を用いることができる。
【０１０１】
〔第５の実施形態における第１の距離算出方法〕
上記第１の距離算出方法は、携帯電話端末１Ａのカメラのオートフォーカス機能から得られる詳細な距離情報や、マクロモード／遠景撮影モード等の切替情報から判断される大まかな距離情報に基づいて上記カメラから被写体までの距離を算出する方法である。
【０１０２】
すなわち、第１の距離算出方法では、先ず、携帯電話端末１Ａは、自端末１Ａの位置情報及び撮影方向情報と上記距離情報とを近距離無線通信を通じて周囲の携帯電話端末２Ｂ，３Ｃへ通知する。上記携帯電話端末１Ａからそれら情報の通知を受けた携帯電話端末２Ｂ，３Ｃは、前述の第１，第２の実施形態のように、上記携帯電話端末１Ａの位置情報及び撮影方向情報と、自端末（２Ｂ，３Ｃ）の位置情報及び移動方向に、さらに上記距離情報を加味した計算を行い、各々自端末２Ｂ，３Ｃが携帯電話端末１Ａの撮影領域５内に入り且つ携帯電話端末１Ａのカメラと被写体までの距離内に入ることになって、携帯電話端末１Ａでの写真撮影を邪魔してしまう可能性があるか否かの判断を行う。なお、上記距離情報を加味した計算は、前述の第３，第４の実施形態のように、携帯電話端末１Ａ側が行っても良い。
【０１０３】
この第１の距離算出方法が採用された場合、前述の図３，図５，図７，図９のフローチャートでは、例えば、ステップＳ５にて複数回取得した位置情報と撮影方向が同じ内容であったと判断された後に、カメラから被写体までの距離情報を求める処理が行われる。そして、図３，図５のフローチャートでは、ステップＳ６において、自端末の位置情報及び撮影方向情報と共に被写体までの距離情報が、他の携帯電話端末へ通知されることになり、一方、図４，図６のフローチャートでは、ステップＳ１１において、他の携帯電話端末の位置情報と撮影方向情報と距離情報を取得し、ステップＳ１３において、自端末が他の携帯電話端末のカメラと被写体の間を横切ることになるかどうかの計算が行われることになる。また、図７，図９のフローチャートでは、ステップＳ２３において、カメラから被写体までの距離情報を加味して、上記他の端末のユーザが自端末のカメラと被写体との間を横切ることになるかどうかの計算が行われることになる。
【０１０４】
〔第５の実施形態における第２の距離算出方法〕
第２の距離算出方法は、例えば図１１に示すように、携帯電話端末１Ａの撮影対象である被写体が本発明実施形態にかかる携帯電話端末４Ｄを所持しているユーザ４ｄであるような場合に、その携帯電話端末４Ｄとの間で後述するように近距離通信を通じた情報交換を行うことにより、上記携帯電話端末１Ａのカメラと上記被写体であるユーザ４ｄの携帯電話端末４Ｄとの間の距離の算出を行うような方法である。
【０１０５】
また、上記第２の距離算出方法のように、本実施形態にかかる携帯電話端末間（例えば端末１Ａと端末４Ｄ）で近距離無線通信を通じて上記距離の交換を行ってそれら端末間の距離を算出する場合の情報交換方法としては、以下のような第１〜第３の情報交換方法を用いることができる。
【０１０６】
〔第２の距離算出方法における第１の情報交換方法〕
第１の情報交換方法では、先ず、携帯電話端末１Ａは、自端末１Ａの位置情報及び撮影方向情報を近距離無線通信を通じて周囲の携帯電話端末２Ｂ，３Ｃ，４Ｄへ通知する。上記携帯電話端末１Ａからそれら情報の通知を受けた携帯電話端末２Ｂ，３Ｃ，４Ｄは、その携帯電話端末１Ａの位置情報及び撮影方向情報と自端末（２Ｂ，３Ｃ，４Ｄ）の位置情報とから、自端末（２Ｂ，３Ｃ，４Ｄ）が携帯電話端末１Ａのカメラの撮影領域５内に入っているかどうかを判断する。次に、図１１の例のように、上記携帯電話端末１Ａのカメラの撮影領域５内に入っていると判断した携帯電話端末４Ｄは、自端末４Ｄが携帯電話端末１Ａのカメラの被写体になっていると判断し、自端末４Ｄの位置情報を携帯電話端末１Ａへ返信する。なお、携帯電話端末４Ｄは、上記携帯電話端末１Ａのカメラの撮影領域５内に入っていないと判断した場合には、後述の他の携帯電話端末２Ｂ，３Ｃと同様の処理を行うことになる。
【０１０７】
そして、この第１の情報交換方法を採用した第２の距離算出方法の場合、上記携帯電話端末４Ｄから位置情報を受け取った携帯電話端末１Ａは、自端末１Ａの位置情報と上記携帯電話端末４Ｄの位置情報の差分を基に、自端末１Ａから携帯電話端末４Ｄまでの距離つまりカメラから被写体であるユーザ４ｄまでの距離を算出し、当該算出した距離情報を、近距離無線通信を通じて周囲の携帯電話端末２Ｂ，３Ｃ等は通知する。
【０１０８】
一方、当該第１の情報交換方法を採用した第２の距離算出方法において、上記携帯電話端末１Ａのカメラの撮影領域５の外に自端末が居ると判断した携帯電話端末２Ｂ，３Ｃは、例えば前述の第１，第２の実施形態のように、各々自端末２Ｂ，３Ｃが携帯電話端末１Ａの写真撮影の邪魔になるかどうかの判断を行う際に、携帯電話端末１Ａの位置情報及び撮影方向情報と自端末２Ｂ，３Ｃの位置情報及び移動方向を用いた計算に、さらに、上記携帯電話端末１Ａと携帯電話端末４Ｄとの間の距離情報を加味した計算を行い、各々自端末２Ｂ，３Ｃが携帯電話端末４Ｄの撮影領域５内に入り且つ携帯電話端末１Ａと携帯電話端末４Ｄとの間に入ることになって、携帯電話端末１Ａでの写真撮影を邪魔してしまう可能性があるか否かの判断を行う。なお、上記距離情報を加味した計算は、前述の第３，第４の実施形態のように、携帯電話端末１Ａ側が行っても良い。
【０１０９】
この第１の情報交換方法による第２の距離算出方法が採用された場合、前述の図３，図５，図７，図９のフローチャートでは、例えば、ステップＳ５にて複数回取得した位置情報と撮影方向が同じ内容であったと判断された後に、上述した第１の情報交換方法を用いて、カメラから被写体までの距離情報が求められることになる。距離情報が求められた後の処理は上述の第１の距離計算方法の場合と同様となる。
【０１１０】
〔第２の距離算出方法における第２の情報交換方法〕
第２の情報交換方法では、先ず、携帯電話端末１Ａは、自端末１Ａの位置情報及び撮影方向情報と共に自端末１Ａ自身を表す固有ＩＤ（例えば電話番号やメールアドレス等）を、近距離無線通信を通じて周囲の携帯電話端末２Ｂ，３Ｃ，４Ｄへ通知する。上記携帯電話端末１Ａから上記各情報と固有ＩＤの通知を受けた携帯電話端末２Ｂ，３Ｃ，４Ｄは、上述の第１の情報交換及び距離算出方法と同様に、携帯電話端末１Ａの位置情報及び撮影方向情報と自端末（２Ｂ，３Ｃ，４Ｄ）の位置情報とから、自端末（２Ｂ，３Ｃ，４Ｄ）が携帯電話端末１Ａのカメラの撮影領域５内に入っているかどうかを判断する。次に、図１１の例のように、上記携帯電話端末１Ａのカメラの撮影領域５内に入っている携帯電話端末４Ｄは、上記携帯電話端末１Ａの固有ＩＤが、自端末４Ｄ内部の電話帳データに登録されているかどうかを照合する。そして、上記携帯電話端末１Ａの固有ＩＤが、電話帳データ内に登録されていると判断した場合、携帯電話端末４Ｄは、自端末４Ｄの位置情報を携帯電話端末１Ａへ返信する。すなわち、この第２の情報交換方法の場合、携帯電話端末４Ｄは、携帯電話端末１Ａの固有ＩＤが自端末４Ｄの電話帳データ内に登録されている時、その携帯電話端末１Ａのユーザ１ａは自端末４Ｄのユーザ４ｄと何らかの関係を有する人であり、そのため、自端末４Ｄのユーザ４ｄが携帯電話端末１Ａの被写体になっている可能性が高いと判断し、自端末４Ｄの位置情報を携帯電話端末１Ａへ送信する。これ以降の処理は前述同様である。なお、携帯電話端末４Ｄは、上記携帯電話端末１Ａの固有ＩＤが電話帳データ内に登録されていないと判断した場合には、上記携帯電話端末１Ａに対して何も行わずに処理を終了しても良いし、自端末４Ｄのユーザ４ｄが携帯電話端末１Ａのカメラの被写体ではないと判断して、携帯電話端末１Ａの写真撮影の邪魔になっている旨をユーザ４ｄへ通知等しても良い。
【０１１１】
この第２の情報交換方法による第２の距離算出方法が採用された場合、前述の図３，図５，図７，図９のフローチャートでは、例えば、ステップＳ５にて複数回取得した位置情報と撮影方向が同じ内容であったと判断された後に、上述した第２の情報交換方法を用いて、カメラから被写体までの距離情報が求められることになる。距離情報が求められた後の処理は上述の第１の距離計算方法と同様となる。
【０１１２】
〔第２の距離算出方法における第３の情報交換方法〕
第３の情報交換方法では、先ず、携帯電話端末１Ａは、自端末１Ａの位置情報及び撮影方向情報を、近距離無線通信を通じて周囲の携帯電話端末２Ｂ，３Ｃ，４Ｄへ通知する。上記携帯電話端末１Ａからそれら情報の通知を受けた携帯電話端末２Ｂ，３Ｃ，４Ｄは、その携帯電話端末１Ａの位置情報及び撮影方向情報と自端末（２Ｂ，３Ｃ，４Ｄ）の位置情報とから、自端末（２Ｂ，３Ｃ，４Ｄ）が携帯電話端末１Ａのカメラの撮影領域５内に入っているかどうかを判断する。次に、図１１の例のように、上記携帯電話端末１Ａのカメラの撮影領域５内に入っていると判断した携帯電話端末４Ｄは、自端末４Ｄの位置情報と自端末４Ｄ自身を表す固有ＩＤとを、上記携帯電話端末１Ａへ返信する。なお、携帯電話端末４Ｄは、上記携帯電話端末１Ａのカメラの撮影領域５内に入っていないと判断した場合には、後述の他の携帯電話端末２Ｂ，３Ｃと同様の処理を行うことになる。
【０１１３】
この第３の情報交換方法を採用した第２の距離算出方法の場合、上記携帯電話端末４Ｄから位置情報と固有ＩＤを受け取った携帯電話端末１Ａは、上記携帯電話端末４Ｄの固有ＩＤが、自端末１Ａ内部の電話帳データに登録されているかどうかを照合する。そして、上記携帯電話端末４Ｄの固有ＩＤが、電話帳データ内に登録されていると判断した場合、携帯電話端末１Ｄは、その携帯電話端末４Ｄのユーザ４ｄが自端末１Ａの被写体になっている可能性が高いと判断し、自端末１Ａの位置情報と上記携帯電話端末４Ｄの位置情報の差分を基に、自端末１Ａから携帯電話端末４Ｄまでの距離つまりカメラから被写体であるユーザ４ｄまでの距離を算出し、当該算出した距離情報を、近距離無線通信を通じて周囲の携帯電話端末２Ｂ，３Ｃ等は通知する。これ以降の処理は前述同様である。なお、携帯電話端末１Ａは、上記携帯電話端末４Ｄの固有ＩＤが電話帳データ内に登録されていないと判断した場合には、上記携帯電話端末４Ｄから送られてきた固有ＩＤを破棄した上で、当該携帯電話端末４Ｄとの間の距離計算等の処理は行わずに、例えば携帯電話端末４Ｄのユーザ４ｄが写真撮影の邪魔になっている旨をユーザ１ａへ通知等しても良いし、例えば前述の第１の距離算出方法により求めた距離情報などを周囲の他の携帯電話端末に送信しても良い。
【０１１４】
この第３の情報交換方法による第２の距離算出方法が採用された場合、前述の図３，図５，図７，図９のフローチャートでは、例えば、ステップＳ５にて複数回取得した位置情報と撮影方向が同じ内容であったと判断された後に、上述した第３の情報交換方法を用いて、カメラから被写体までの距離情報が求められることになる。距離情報が求められた後の処理は上述の第１の距離計算方法と同様となる。
【０１１５】
〔第５の実施形態のまとめ〕
この第５の実施形態によれば、カメラと被写体との間に他の携帯電話端末が入る可能性のあるか否かを判定することができるため、例えカメラの撮影方向に他の携帯電話端末のユーザが入る場合であっても、カメラと被写体との間には入ってこないような時には、カメラによる撮影を行うことが可能となっている。
【０１１６】
なお、上述した本発明の各実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【０１１７】
本実施形態の携帯端末は、携帯電話端末に限定されず、カメラ機能と近距離無線通信機能を備えたＰＤＡ（Personal Digital Assistant）やパーソナルコンピュータ、携帯型テレビゲーム装置、携帯型デジタルテレビジョン受信機、携帯型デジタルオーディオ機器など、様々な携帯端末にも適用可能である。
【図面の簡単な説明】
【０１１８】
【図１】本発明の第１の実施形態におけるユースケースの説明に用いる概念図である。
【図２】本発明実施形態の携帯電話端末の概略的な内部回路構成を示すブロック図である。
【図３】本発明の第１の実施形態にかかる各携帯電話端末のうち、カメラにより撮影を行う側の携帯電話端末が実行する一連の処理の流れを示すフローチャートである。
【図４】本発明の第１の実施形態にかかる各携帯電話端末のうち、カメラにより撮影を行う携帯電話端末の周囲に存在する他の携帯電話端末が実行する一連の処理の流れを示すフローチャートである。
【図５】本発明の第２の実施形態にかかる各携帯電話端末のうち、カメラにより撮影を行う側の携帯電話端末が実行する一連の処理の流れを示すフローチャートである。
【図６】本発明の第２の実施形態にかかる各携帯電話端末のうち、カメラにより撮影を行う携帯電話端末の周囲に存在する他の携帯電話端末が実行する一連の処理の流れを示すフローチャートである。
【図７】本発明の第３の実施形態にかかる各携帯電話端末のうち、カメラにより撮影を行う側の携帯電話端末が実行する一連の処理の流れを示すフローチャートである。
【図８】本発明の第３の実施形態にかかる各携帯電話端末のうち、カメラにより撮影を行う携帯電話端末の周囲に存在する他の携帯電話端末が実行する一連の処理の流れを示すフローチャートである。
【図９】本発明の第４の実施形態にかかる各携帯電話端末のうち、カメラにより撮影を行う側の携帯電話端末が実行する一連の処理の流れを示すフローチャートである。
【図１０】本発明の第４の実施形態にかかる各携帯電話端末のうち、カメラにより撮影を行う携帯電話端末の周囲に存在する他の携帯電話端末が実行する一連の処理の流れを示すフローチャートである。
【図１１】本発明の第５の実施形態におけるユースケースの説明に用いる概念図である。
【符号の説明】
【０１１９】
１Ａ  カメラにより撮影を行う携帯電話端末、１ａ  携帯電話端末１Ａのユーザ、２Ｂ，３Ｃ，４Ｄ  カメラにより撮影を行う携帯電話端末の周囲の他の携帯電話端末、２ｂ，３ｃ，４ｄ  他の携帯電話端末２Ｂ，３Ｃ，４Ｄのユーザ、５  撮影領域、６  移動方向、１０  制御部、１１  通信回路、１２  通信アンテナ、１３  表示部、１４  操作部、１５  メモリ、１６  カメラ制御部、１７  カメラ部、２０  スピーカ、２１  マイクロホン、２２  音声処理部、２３  画像処理部、２４  加速度センサ部、２５  地磁気センサ部、２６  ＧＰＳ制御部、２７  ＧＰＳアンテナ、２８  近距離無線通信制御部、２９  近距離無線通信アンテナ
【図１】
2008022112.tif 000003
【図２】
2008022112.tif 000004
【図３】
2008022112.tif 000005
【図４】
2008022112.tif 000006
【図５】
2008022112.tif 000007
【図６】
2008022112.tif 000008
【図７】
2008022112.tif 000009
【図８】
2008022112.tif 000010
【図９】
2008022112.tif 000011
【図１０】
2008022112.tif 000012
【図１１】
2008022112.tif 000013